(57)【要約】【課題】梁部材に取付けた際に落下し難く、作業性の良い防煙垂れ壁の取付け構造を提供する。【解決手段】天井裏部分に配設された梁部材４に、ハンガー部材１を用いて天井バー９が吊り下げられており、天井バー９に防煙垂れ壁が取付けられてなる防煙垂れ壁の取付け構造において、ハンガー部材１は、断面が略逆Ｕ字形の掛止構造部２と、略逆Ｕ字形の掛止構造部２の端部の少なくとも一方に天井バー９を取付ける天井バー取付け部３とを有し、ハンガー部材１が、掛止構造部２によって梁部材４に引っ掛けられた状態で固定されており、天井バー９が、ハンガー部材１の天井バー取付け部３によって吊り下げられている、防煙垂れ壁の取付け構造１００。【選択図】図３
2010031560.tif 000002
【特許請求の範囲】
【請求項１】
天井裏部分に配設された梁部材に、ハンガー部材を用いて天井バーが吊り下げられており、前記天井バーに防煙垂れ壁が取付けられてなる防煙垂れ壁の取付け構造において、
前記ハンガー部材は、断面が略逆Ｕ字形の掛止構造部と、前記略逆Ｕ字形の掛止構造部の端部の少なくとも一方に、前記天井バーを取付ける天井バー取付け部とを有し、
前記ハンガー部材の前記掛止構造部は、前記梁部材の上方から跨がせた状態で掛止固定されており、
前記天井バーが、前記ハンガー部材の前記天井バー取付け部によって吊り下げられている、防煙垂れ壁の取付け構造。
【請求項２】
前記天井バー取付け部が、前記掛止構造部とは別体であって前記掛止構造部の端部に取り付け自在の、断面が略Ｌ字形の天井バー取付け金具によって構成されている請求項１に記載の防煙垂れ壁の取付け構造。
【請求項３】
前記天井バー取付け部が、前記掛止構造部の両端部に設けられており、一方の前記天井バー取付け部が、前記掛止構造部の一端部に連設されており、他方の前記天井バー取付け部が、前記掛止構造部とは別体であって前記掛止構造部の他端部に取り付け自在の、断面が略Ｌ字形の天井バー取付け金具によって構成されている請求項１に記載の防煙垂れ壁の取付け構造。
【請求項４】
前記天井バー取付け金具には、複数の孔部が設けられており、前記複数の孔部のいずれかを選択することにより、前記天井バーの取付け位置の高さを調節自在に構成してある請求項２又は請求項３のいずれか１項に記載の防煙垂れ壁の取付け構造。
【請求項５】
天井裏部分に配設された梁部材に掛止固定可能であり、且つ天井面に沿って配設される防煙垂れ壁部材取付け用の天井バーを前記梁部材から吊下げ可能なハンガー部材であって、
前記梁部材に対して、その上方から跨がせて掛止可能な、断面が略逆Ｕ字形の掛止構造部と、前記略逆Ｕ字形の掛止構造部の端部の少なくとも一方に、前記前記天井バーを取付け可能な天井バー取付け部とを備えるハンガー部材。
【発明の詳細な説明】
【技術分野】
【０００１】
本発明は、防煙垂れ壁の取付け構造、及び当該取付け構造に使用するハンガー部材に関する。
【背景技術】
【０００２】
従来の防煙垂れ壁の取付け構造としては、図１５に示すように、天井面に沿って配設される防煙垂れ壁部材取付け用の天井バー９は、その上方（天井裏）にある梁部材４（野縁受等）から、断面コの字型のハンガー部材１と吊りボルト２０等を介して吊り下げ支持されているものが一般的に知られている。
【０００３】
このハンガー部材１は、天井裏に支持された梁部材４に水平方向から外嵌したものであり、吊りボルト２０の上部が、そのハンガー部材１のボルト溝に嵌合し、ハンガー部材１に上側及び下側から当接するように吊りボルト２０に螺合した２つのナット２１，２１によって梁部材４に固定され、防煙垂れ壁部材取付け用の天井バー９が、吊りボルト２０を介して梁部材４に吊り下げ支持されている（特開平１１−８９９５４号公報）。
【０００４】
【特許文献１】特開平１１−８９９５４号公報
【発明の開示】
【発明が解決しようとする課題】
【０００５】
従来の防煙垂れ壁の取付け構造におけるハンガー部材１は、梁部材４の外側に水平方向から嵌められた後、吊りボルト２０を通して上下方向から２つのナット２１，２１で締結して固定するように構成されている。そのため、従来のハンガー部材は、梁部材に嵌められてから、吊りボルトとナットによって固定されるまでの間に、ハンガー部材自身や梁部材に対して何らかの衝撃等が加えられると、梁部材から外れて落下してしまう虞があった。
そこで本発明は、梁部材に取付けた際に落下し難く、作業性の良いハンガー部材、及びそのハンガー部材を用いた防煙垂れ壁の取付け構造を提供するものである。
【課題を解決するための手段】
【０００６】
本発明の防煙垂れ壁の取付け構造の特徴構成は、
天井裏部分に配設された梁部材に、ハンガー部材を用いて天井バーが吊り下げられており、前記天井バーに防煙垂れ壁が取付けられてなる防煙垂れ壁の取付け構造において、
前記ハンガー部材は、断面が略逆Ｕ字形の掛止構造部と、前記略逆Ｕ字形の掛止構造部の端部の少なくとも一方に、前記天井バーを取付ける天井バー取付け部とを有し、
前記ハンガー部材の前記掛止構造部は、前記梁部材の上方から跨がせた状態で掛止固定されており、
前記天井バーが、前記ハンガー部材の前記天井バー取付け部によって吊り下げられている点にある。
【０００７】
本発明のハンガー部材の特徴構成は、
天井裏部分に配設された梁部材に掛止固定可能であり、且つ天井面に沿って配設される防煙垂れ壁部材取付け用の天井バーを前記梁部材から吊下げ可能なハンガー部材であって、
前記梁部材に対して、その上方から跨がせて掛止可能な、断面が略逆Ｕ字形の掛止構造部と、前記略逆Ｕ字形の掛止構造部の端部の少なくとも一方に、前記前記天井バーを取付け可能な天井バー取付け部とを備える点にある。
【０００８】
〔作用及び効果〕
本発明では、ハンガー部材を梁部材に跨がせた状態で掛止固定されているので、ハンガー部材が固定される前に、ハンガー部材自身や梁部材に対して何らかの衝撃等が加えられた場合であっても、梁部材から外れ難く、落下する虞が少ないので、作業性が良い。
【発明を実施するための最良の形態】
【０００９】
以下に本発明の実施の形態を図面に基づいて説明する。
〔第１実施形態〕
本発明に係る防煙垂れ壁の取付け構造１００の第１実施形態について、図１〜図５に基づいて説明する。
図１は、野縁２２と天井バー９とが平行に設けられる場合において、本実施形態の特徴であるハンガー部材１を使用して、天井バー９をＣバー４から吊り下げ支持する状態を示している。
【００１０】
図２は、本実施形態の特徴であるハンガー部材１の斜視図を示している。
ハンガー部材１は、掛止構造部２及び天井バー取付け部３を備えており、これらを一体に成形したものである。
掛止構造部２は、断面「コ」の字型を形成する、第１板状部２ａ、第２板状部２ｂ、及び第３板状部２ｃを有しており、天井裏に支持された断面「コ」の字型のＣバー４（梁部材の一例）の上方から跨がせた状態で掛止固定できる構造となっている。
【００１１】
第１板状部２ａは、ハンガー部材１をＣバー４に取付けた際、Ｃバー４の上面に突き当てられる。第２板状部２ｂ及び第３板状部２ｃは、第１板状部２ａの両端部にそれぞれ連なって設けられており、それらは、第１板状部２ａの板面と直交する向きで互いに平行となるように形成されている。
【００１２】
また、第２板状部２ｂの内面と、第３板状部２ｃの内面との間の距離Ｓは、Ｃバー４の横幅Ｘと同じか、それよりもわずかに大きく設定されており、第２板状部２ｂ及び第３板状部２ｃの縦幅Ｔは、Ｃバー４の縦幅Ｙよりも長く設定されている（図３参照）。
第２板状部２ｂ及び第３板状部２ｃには、それぞれ、固定用ボルト５を通し得る貫通孔７ａと、固定用ボルト５の雄ねじ部をねじ込め得るバーリングねじ７ｂとが設けられている。
【００１３】
一方、天井バー取付け部３は、第３板状部２ｃの板面と直交する向きで第３板状部２ｃに連なって設けられており、ハンガー部材１をＣバー４に取付けた際、掛止構造部２よりも下側に位置するように構成されている。また、天井バー取付け部３には、取付け用ボルト６を通し得る貫通孔７ｃが設けられている。
【００１４】
なお、ハンガー部材１の構成部材としては、適度な強度を有する金属（例えば、鋼板等）が好ましい。また、図２に示すように、本実施形態のハンガー部材１においては、第２板状部２ｂ、第３板状部２ｃ、及び天井バー取付け部３の縁部に、それぞれリブ８を設けており、掛止構造部２（第１板状部２ａ、第２板状部２ｂ、及び第３板状部２ｃ）や天井バー取付け部３の厚みを薄くした場合においても、その剛性を確保し得る構成を有している。
【００１５】
図３は、本実施形態の特徴であるハンガー部材１を使用して、天井バー９を吊り下げ支持する構成を示したものである。なお、本発明における天井バー９とは、天井面に沿って配設され、防煙垂れ壁部材１５を取付け可能な構成を有するものである。
【００１６】
本実施形態における天井バー９は、相対する突辺１０ａ，１０ａ間で上方に開口する断面Ｃの字状の第１蟻溝部１０、相対する突辺１１ａ，１１ａ間で下方に開口する断面Ｃの字状の第２蟻溝部１１、天井板設置部１２，１２、及び防煙垂れ壁部材取付け部１３，１３等を備えている。
なお、第１蟻溝部１０には、雌ねじ孔１４ａを有する矩形の取付け板１４が、第１蟻溝部１０の端部から挿入されており、当該取付け板１４を、第１蟻溝部１０に沿って移動させることによって、第１蟻溝部１０の所定位置に設置し得るように構成されている。
【００１７】
天井バー９をＣバー４から吊り下げるためには、まず、ハンガー部材１の掛止構造部２を、天井裏に支持されたＣバー４の上方から跨がせた状態で掛止固定しておく。
次いで、固定用ボルト５の雄ねじ部を、第２板状部２ｂの貫通孔７ａに通して、第３板状部２ｃのバーリングねじ７ｂにねじ込み、ハンガー部材１をＣバー４の所定位置に固定する。
【００１８】
そして、天井バー９を、ハンガー部材１の天井バー取付け部３の下に配置させ、天井バー取付け部３の貫通孔７ｃと、第１蟻溝部１０内に設けてある取付け板１４の雌ねじ孔１４ａとの位置合わせを行う。予めナット２１を嵌め合わせた取付け用ボルト６の雄ねじ部を、天井バー取付け部３の貫通孔７ｃに通して、取付け板１４の雌ねじ孔１４ａにねじ込む。さらに、ナット２１を回転させて、第１蟻溝部１０の突辺１０ａ，１０ａを、天井バー取付け部３と取付け板１４にて、挟み込んで締め付けることによって、天井バー９の吊り下げが完了する。
【００１９】
図４及び図５は、ハンガー部材１を介して吊り下げ支持された天井バー９に、天井板１９及び防煙垂れ壁部材１５を設置したときの様子を示したものである。
なお、図４は、本実施形態のハンガー部材１を、Ｃバー４の長手方向から見たときの断面を示すものである（後述する、図１１，図１３も同様方向から見たときの断面である）。図５は、本実施形態のハンガー部材１を、天井バー９の長手方向から見たときの断面を示すものである（後述する、図９，図１２，図１４も同様方向から見たときの断面である）。
【００２０】
天井バー９の防煙垂れ壁部材取付け部１３には、防煙垂れ壁部材１５（例えば、線入磨板ガラス、網入磨板ガラス等）の上縁部が、防煙ゴム２４を介して嵌め合わせることができ、吊具１６と受具１７とによって防煙垂れ壁部材１５が支持される構成となっている。
この吊具１６は、そのフランジ部１６ａを天井バー９の第２蟻溝部１１に掛止させることによって、天井バー９より垂下させる。受具１７は、防煙垂れ壁部材１５の下端が嵌め合わせられるように、上方が開口した溝部材である。防煙垂れ壁部材１５の下縁部を保護するために、受具１７はゴム板３０を介して嵌め合わされる。さらに、シリコーンシーラント２９を介して、化粧材２６が嵌め合わされる。
さらに、吊り下げられた天井バー９には、その天井板設置部１２が設けられており、この上に適当な天井板１９を設置することができる。
【００２１】
〔第２実施形態〕
次に、本発明に係る防煙垂れ壁の取付け構造１００の第２実施形態について、図６〜図９に基づいて説明するが、重複説明を避けるため、先の実施形態で説明した構成部品については、同じ符号を付すことにより説明を省略し、主として異なる構成についてのみ説明する。
【００２２】
図６は、本実施形態の特徴であるハンガー部材１を使用して、天井バー９をＣバー４から吊り下げ支持する状態を示している。
【００２３】
図７及び図８は、本実施形態のハンガー部材１の斜視図を示している。本実施形態におけるハンガー部材１は、掛止構造部２と天井バー取付け部３を備える構成については先の第１実施形態と同様であるが、第２の天井バー取付け部として、天井バー取付け金具１８を掛止構造部２とは別体として備えるものであり、その高さ位置を自在に調節し得る構成となっている。
【００２４】
天井バー取付け金具１８は、断面が「Ｌ」の字型を形成する第４板状部１８ａ及び第５板状部１８ｂを有しており、掛止構造部２の第２板状部２ｂに固定用ボルト５を介して、取り外し自在に固定し得るように構成されている。
【００２５】
第４板状部１８ａには、固定用ボルト５を通し得る複数の貫通孔７ｅ，７ｅが、その上下方向に所定の間隔を空けて設けられており、第５板状部１８ｂには、取付け用ボルト６を通し得る貫通孔７ｆが設けられている。
【００２６】
本実施形態のハンガー部材１においては、第４板状部１８ａに設けられている複数の貫通孔７ｅ，７ｅのいずれかを選択して、その貫通孔７ｅに固定用ボルト５を挿通させて固定することによって、天井バー取付け金具１８の高さ位置を自在に調節することができる。
【００２７】
この本実施形態においては、２つの貫通孔７ｅ，７ｅを設ける構成としているが、この構成に限定されるものではなく、その数や設置する間隔については必要に応じて任意に設定することができる。
なお、第２板状部２ｂの縁部に設けられているリブ８は、天井バー取付け金具１８を掛止構造部２の第２板状部２ｂに取付けた際の回転止めとしても機能し得る。
【００２８】
図８（ロ）に示したような構成とした場合、これら２つの天井バー取付け部を使い分けて使用することができ、作業性がより一層向上し得る。例えば、通常使用時は、掛止構造部の一端部に連設されている天井バー取付け部に天井バーを取り付けるようにし、天井バーの取付け位置の高さを調節する必要が生じた場合には、適当な天井バー取付け金具を選択して掛止構造部に取り付けることによって、その天井バー取付け金具に、天井バーを所望の高さで取り付けることができる。
【００２９】
図９は、本実施形態のハンガー部材１を介して吊り下げ支持された天井バー９に、天井板１９及び防煙垂れ壁部材１５を設置したときの様子を示したものである。
この場合、天井バー取付け金具１８の高さ位置を調節するために、第４板状部１８ａにおける貫通孔７ｅ，７ｅのうち上側の貫通孔を選択して、より低い位置に天井バー９の吊り下げた例である。
【００３０】
本実施形態によれば、天井バー９が、ある高さ位置に設置されると天井裏に支持される他の部材（例えば、野縁２２等）と干渉してしまうような場合、天井バー９の高さ位置をそのような部材よりもさらに低い位置に調節することによって、互いに干渉することなく、天井バー９を設置することができる。
【００３１】
〔第３実施形態〕
次に、本発明に係る防煙垂れ壁の取付け構造１００の第３実施形態について、図１０〜図１４に基づいて説明するが、重複説明を避けるため、主として異なる構成についてのみ説明する。
【００３２】
図１０は、第３実施形態のハンガー部材１の分解斜視図である。
本実施形態のハンガー部材１は、第２の天井バー取付け部である天井バー取付け金具１８を、掛止構造部２とは別体として備えており、その高さ位置を自在に調節し得る構成については、先の第２実施形態と同様である。
【００３３】
しかし、掛止構造部２の第３板状部２ｃには、天井バー取付け部３及び縁部８を設けておらず、バーリングねじ７ｂの代わりに、固定用ボルト５を通し得る貫通孔７ｇを設けている。また、天井バー取付け金具１８の第４板状部１８ａには、貫通孔７ｅの代わりに、複数の雌ねじ孔７ｈ，７ｈを設けている。
【００３４】
ライナー２７には、その中央部に貫通孔２７ａ（長孔）が設けられており、さらにその端部に凹部２７ｂ，２７ｂが設けられている。
取付け板２８には、その中央部に雌ねじ孔２８ａが設けられており、さらにその端部に、ライナー２７の凹部２７ｂ，２７ｂと、嵌め合わせ可能な凸部２８ｂ，２８ｂが設けられており、またその両側面に、段部２８ｃ，２８ｃが形成されている。このような構成により、取付け用ボルト６の雄ねじ部をねじ込む際に、雌ねじ孔２８ａを有する取付け板２８の回転が規制され、さらにライナー２７の動きも規制されるので、ねじ止め作業が容易になる。
【００３５】
なお、本実施形態においては、必要に応じてライナー２７を使用する構成とすることが可能である。そこでまず、ライナー２７を使用せず、本実施形態のハンガー部材１、及び取付け板２８を用いて、天井バー９を吊り下げ支持する構成について説明する。
【００３６】
図１１及び図１２は、本実施形態のハンガー部材１、及び取付け板２８を用いて吊り下げ支持された天井バー９に、天井板１９及び防煙垂れ壁部材１５を設置したときの様子を示している。
【００３７】
この第３実施形態は、天井バー取付け金具１８の高さ位置を調節するために、第４板状部１８ａにおける雌ねじ孔７ｈ，７ｈのうち下側の貫通孔を選択して、天井バー９の吊り下げている例である。なお、取付け板２８の両端に設けられている凸部２８ｂ，２８ｂは、その間に第５板状部１８ｂが収まるような寸法としている。
【００３８】
次に、前述の本実施形態のハンガー部材１、及び取付け板２８に加えて、ライナー２７を用いて天井バー９を吊り下げ支持する構成について説明する（図１３，図１４参照）。
【００３９】
まず、本実施形態においては、天井バー取付け金具１８の第４板状部１８ａに設けられている複数の雌ねじ孔７ｈ，７ｈの中から、固定用ボルト５をねじ込む適当な雌ねじ孔７ｈを選択することによって、天井バー取付け金具１８（第５板状部１８ｂ）の高さ位置を調節して、吊り下げる天井バー９の高さ位置を変更することが可能である。
しかし、このような構成だけでは、天井板１９の厚みに応じて、天井バー９の高さ位置を微調整することが困難な場合がある。
そこで、本実施形態は、さらにライナー２７を使用することによって、天井バー９の高さ位置を微調整し得るように構成したものである。
【００４０】
図１３及び図１４は、本実施形態のハンガー部材１、ライナー２７、及び取付け板２８を用いて吊り下げ支持された天井バー９に、天井板１９及び防煙垂れ壁部材１５を設置したときの様子を示している。
【００４１】
図１４に示す天井バー９には、前述の図１２に示した天井板１９よりも、より大きな厚みを有する天井板１９が設置されている（厚みＡ＞厚みａ）。
図１２及び図１４に示すように、天井板１９は、野縁２２の下に設置されるため、仮に図１２及び図１４に示す野縁２２が、同じ高さに設定されているものとすると、天井バー９に、図１２に示す天井板１９（厚みａ）よりも大きな厚みを有する図１４に示す天井板１９（厚みＡ）を設置するためには、天井バー９の設置位置を、図１２に示す天井バー９の設置位置よりも若干下方に設定する必要がある。
即ち、本実施形態は、天井バー９の設置位置を下方に設定した分、天井バー取付け金具１８（第５板状部１８ｂ）と、取付け板２８との間に隙間が生じてしまうので、その隙間にライナー２７を介在させるものである。
【００４２】
ライナー２７を使用して天井バー９を吊り下げ支持する方法において、要点についてのみ以下に説明する。
図１０に示すように、ハンガー部材１の天井バー取付け金具１８の下にライナー２７を、そのライナー２７の下に天井バー９を、その下に取付け板２８を、それぞれ配置する。
そして、取付け用ボルト６の雄ねじ部を順次、貫通孔７ｆ、貫通孔２７ａに通し、取付け板２８の雌ねじ孔２８ａにねじ込み、さらにナット２１を回転させてねじ締めを行うことによって、図１３及び図１４に示すように、天井バー９の吊り下げが完了する。
このとき、取付け板２８の凸部２８ｂ，２８ｂは、ライナー２７の凹部２７ｂ，２７ｂとそれぞれ嵌め合った状態となっている。
【００４３】
〔別実施形態〕
〔１〕前述の第２実施形態において、例えば、それぞれ天井バー取付け部の高さ位置が異なる天井バー取付け金具を複数用意しておいて、ハンガー部材を梁部材に掛止させた状態において、それらの天井バー取付け金具の中から適当なものを選択して使用することによって、天井バーの取付け位置の高さを自在に調節することができる。この場合、天井バー取付け金具だけを複数種類製造すれば良いので、天井バー取付け部の高さ位置がそれぞれ異なるハンガー部材を複数種類製造するような場合と比べて、低コストで済む。
【００４４】
〔２〕前述の第３実施形態におけるライナー２７及び取付け板２８を、前述の第１実施形態及び第２実施形態において使用する構成としても良い。
【図面の簡単な説明】
【００４５】
【図１】本発明の防煙垂れ壁の取付け構造（第１実施形態）の概略を示す図
【図２】第１実施形態に用いるハンガー部材の斜視図
【図３】第１実施形態の防煙垂れ壁の取付け構造における、吊り下げ支持する構成の概略を示した図
【図４】第１実施形態の防煙垂れ壁の取付け構造の一側面における断面図
【図５】第１実施形態の防煙垂れ壁の取付け構造の別の一側面における断面図
【図６】本発明の防煙垂れ壁の取付け構造（第２実施形態）の概略を示す図
【図７】第２実施形態に用いるハンガー部材の斜視図
【図８】第２実施形態に用いるハンガー部材の斜視図
【図９】第２実施形態の防煙垂れ壁の取付け構造の一側面における断面図
【図１０】第３実施形態に用いるハンガー部材の斜視図
【図１１】第３実施形態の防煙垂れ壁の取付け構造の一側面における断面図
【図１２】第３実施形態の防煙垂れ壁の取付け構造の別の一側面における断面図
【図１３】ライナーを用いた場合の第３実施形態の防煙垂れ壁の取付け構造の一側面における断面図
【図１４】ライナーを用いた場合の第３実施形態の防煙垂れ壁の取付け構造の別の一側面における断面図
【図１５】従来の防煙垂れ壁の取付け構造の概略を示す一側面における断面図
【符号の説明】
【００４６】
１００  防煙垂れ壁の取付け構造
１  ハンガー部材
２  掛止構造部
２ａ  第１板状部
２ｂ  第２板状部
２ｃ  第３板状部
３  天井バー取付け部
４  Ｃバー
５  固定用ボルト
６  取付け用ボルト
８  リブ
９  天井バー
１０  第１蟻溝部
１０ａ  突辺
１１  第２蟻溝部
１２  天井板設置部
１３  防煙垂れ壁部材取付け部
１４  取付け板
１５  防煙垂れ壁部材
１６  吊具
１７  受具
１８  天井バー取付け金具
１８ａ  第４板状部
１８ｂ  第５板状部
１９  天井板
２０  吊りボルト
２１  ナット
２２  野縁
２３  野縁受
２４  防煙ゴム
２５  ゴム材
２６  化粧材
２７  ライナー
２７ｂ  凹部
２８  取付け板
２８ｂ  凸部
２８ｃ  段部
２９  シリコーンシーラント
３０  ゴム板
【図１】
2010031560.tif 000003
【図２】
2010031560.tif 000004
【図３】
2010031560.tif 000005
【図４】
2010031560.tif 000006
【図５】
2010031560.tif 000007
【図６】
2010031560.tif 000008
【図７】
2010031560.tif 000009
【図８】
2010031560.tif 000010
【図９】
2010031560.tif 000011
【図１０】
2010031560.tif 000012
【図１１】
2010031560.tif 000013
【図１２】
2010031560.tif 000014
【図１３】
2010031560.tif 000015
【図１４】
2010031560.tif 000016
【図１５】
2010031560.tif 000017